(57)【要約】【課題】ジャンパ線側にジャンパホーンを設けてもジャンパ線の垂れ下がりを抑制できるジャンパ装置を提供する。【解決手段】鉄塔のアーム１０先端部から両側に耐張碍子装置（碍子連１５）を介して接続される送電線２０と、この送電線２０の端部同士を接続して吊下げられたジャンパ線２５と、鉄塔のアーム１０先端部に固定されたインパルスホーン３０とを有するジャンパ装置である。そして、各耐張碍子装置の送電線側端部から伸びる第１吊材６０を具え、この第１吊材６０に固定されたジャンパホーン５５を具える。ジャンパホーン５５は第１吊材６０より支持されるため、ジャンパホーン５５の荷重がジャンパ線２５にかかることを防止し、ジャンパ線２５の大幅な垂れ下がりを回避することができる。【選択図】  図１
2005012866.tif 000002
【特許請求の範囲】
【請求項１】
鉄塔のアーム先端部から両側に耐張碍子装置を介して接続される送電線と、
この送電線の端部同士を接続して吊下げられたジャンパ線と、
鉄塔のアーム先端部に固定されたインパルスホーンと、
前記各耐張碍子装置の送電線側端部から伸びる第１吊材と、
この第１吊材に固定されたジャンパホーンとを具えることを特徴とするジャンパ装置。
【請求項２】
鉄塔のアーム先端部から両側に耐張碍子装置を介して接続される送電線と、
この送電線の端部同士を接続して吊下げられたジャンパ線と、
鉄塔のアーム先端部に固定されたインパルスホーンと、
垂れ下がったジャンパ線の途中に弦状に配されるホーン支持材と、
ホーン支持材におけるインパルスホーンと対向する位置に設けられるジャンパホーンとを具えることを特徴とするジャンパ装置。
【請求項３】
さらに前記各耐張碍子装置の送電線側端部とホーン支持材の端部とを連結してホーン支持材を吊下げる第２吊材とを具えることを特徴とする請求項２に記載のジャンパ装置。
【発明の詳細な説明】
【０００１】
【発明の属する技術分野】
本発明は、ジャンパ装置に関するものである。特に、ジャンパ線側にジャンパホーンを設け、かつジャンパ線の垂れ下がりを抑制できるジャンパ装置に関するものである。
【０００２】
【従来の技術】
一般に、耐張鉄塔のジャンパ装置は、鉄塔のアーム先端の両側に耐張碍子連を介して接続された送電線と、この送電線同士を電気的につなぐジャンパ線とを具えている。このジャンパ装置の一例としては、パイプ式ジャンパ装置が知られている。これは、図３に示すように、ジャンパ線２５の途中に水平パイプ材８０を用いた構成である。鉄塔アーム１０の端部からは、その両側に耐張碍子連１５が配され、各耐張碍子連１５の端部にはヨーク４０を介して送電線２０が接続されている。このヨーク４０には水平パイプ材８０を吊り下げる吊り下げ材８５が連結される。ジャンパ線２５は、その一端が引留クランプ４５を介して送電線２０に、その他端が水平パイプ材８０の端部に接続される。
【０００３】
このようなジャンパ装置には、雷撃時に碍子連１５や送電線２０を含む設備を守るため、各種アークホーンが設けられている。代表的には、耐張碍子連の両端部に大型のアークホーンのみを対向設置する場合があるが、各アークホーンが大型でコスト高になるため、インパルスホーンとジャンパホーンを組み合わせてアークホーンの小型化を図った構成もある。例えば、鉄塔アーム１０先端に接地側となるインパルスホーン３０を下方に向け、水平パイプ材８０のほぼ中央にジャンパホーン５５を上方に向けて設け（例えば特許文献１）、各耐張碍子連１５の両端部に簡易型のアークホーン３５を対向して設けている。雷撃時、アークホーン３５間およびインパルスホーン３０とジャンパホーン５５との間でフラッシオーバーさせ、設備保護を図る。
【０００４】
【特許文献１】特開２００１−１５７３４７号公報  図３
【０００５】
【発明が解決しようとする課題】
しかし、上記のインパルスホーンとジャンパホーンの組み合わせは、パイプ式ジャンパ装置などの水平材を有するジャンパ装置では適用できるものの、ジャンパ線を円弧状に垂れ下げた構成のジャンパ装置には適用することが困難であるという問題があった。
【０００６】
例えば、無補強式ジャンパ装置として図４に示すものがある。このジャンパ装置は、単にジャンパ線を引留クランプ４５のジャンパソケットに接続して自然に吊下げ、各ジャンパ線の間隔をスペーサで保持した構成である。このような構成のジャンパ装置にジャンパホーンを装着すると、図５に示すように、ジャンパホーンの重量（例えば３０ｋｇ程度）により大きくジャンパ線の中央部が垂れ下がることになる。その結果、インパルスホーンとジャンパホーンの間隔が広がりすぎ、この間隔を規定の距離に保持することができず、雷撃時に両ホーン間でフラッシオーバーできない可能性がある。その上、ジャンパ線の垂れ下がりにより、他の相のジャンパ線との離間距離が不十分となり相間短絡の虞もある。
【０００７】
そこで、本発明の主目的は、ジャンパ線側にジャンパホーンを設けてもジャンパ線の垂れ下がりを抑制できるジャンパ装置を提供することにある。
【０００８】
【課題を解決するための手段】
本発明は、ジャンパ線をほぼ円弧状に吊下げた構成のジャンパ装置において、ジャンパホーンの支持構造を工夫することで上記の目的を達成する。
【０００９】
第１の本発明ジャンパ装置は、鉄塔のアーム先端部から両側に耐張碍子装置を介して接続される送電線と、この送電線の端部同士を接続して吊下げられたジャンパ線と、鉄塔のアーム先端部に固定されたインパルスホーンとを有するジャンパ装置である。そして、各耐張碍子装置の送電線側端部から伸びる第１吊材を具え、この第１吊材に固定されたジャンパホーンを具えることを特徴とする。
【００１０】
この構成によれば、ジャンパホーンは第１吊材より支持されるため、ジャンパホーンの荷重がジャンパ線にかかることを防止し、ジャンパ線の大幅な垂れ下がりを回避することができる。
【００１１】
第１吊材は、一端が耐張碍子装置の送電線側端部に連結され、他端はジャンパ線の途中に連結することが好ましい。第１吊材の他端をジャンパ線の途中に連結することで、第１吊材の他端の揺れを抑制し、ジャンパホーンをより安定して支持することができる。
【００１２】
ジャンパホーンは第１吊材のどの位置に設けても良い。例えば、第１吊材の一端に設けることが挙げられる。また、ジャンパホーンの向きは、できるだけインパルスホーンに対向するように合わせることが望ましい。
【００１３】
第２の本発明ジャンパ装置は、鉄塔のアーム先端部から両側に耐張碍子装置を介して接続される送電線と、この送電線の端部同士を接続して吊下げられたジャンパ線と、鉄塔のアーム先端部に固定されたインパルスホーンとを有するジャンパ装置である。そして、この垂れ下がったジャンパ線の途中に弦状に配されるホーン支持材を設け、ホーン支持材におけるインパルスホーンと対向する位置にジャンパホーンを設けたことを特徴とする。
【００１４】
この構成によれば、円弧状のジャンパ線に対して弦状に配されるホーン支持材を用いることで、そのホーン支持材にジャンパホーンを装着することができる。そのため、ジャンパ線は円弧状を保持してホーン支持材の長さに対応した幅で下がることになり、ジャンパ線がＶ型になって局部的に大きく垂れ下がることを抑制できる。
【００１５】
第３の本発明ジャンパ装置は、前記第２の本発明ジャンパ装置において、さらに前記各耐張碍子装置の送電線側端部とホーン支持材の端部とを連結してホーン支持材を吊下げる第２吊材を有することを特徴とする。
【００１６】
この構成によれば、ホーン支持材およびジャンパホーンの荷重が第２吊材により支持されるため、ジャンパ線にかかる荷重負担が軽減でき、より一層ジャンパ線の垂れ下がりを抑制することができる。
【００１７】
【発明の実施の形態】
以下、本発明の実施の形態を説明する。
（実施例１）
図１は本発明ジャンパ装置の構成図である。
このジャンパ装置は、鉄塔のアーム１０先端から両側に伸びる耐張碍子連１５と、この碍子連１５の端部に接続される送電線２０と、両送電線２０の端部同士を接続するジャンパ線２５とを具える。
【００１８】
鉄塔のアーム１０先端には、下方に向けて固定されたＵ型のインパルスホーン３０が装着され、さらにアーム１０先端を中間として、その両側に耐張碍子連１５が装着されている。各耐張碍子連１５の両端部には、互いに対向する向きに突出するアークホーン３５が取り付けられている。この碍子連１５における鉄塔側とは反対側の端部にヨーク４０を介して送電線２０が接続される。送電線２０は引留クランプ４５でヨーク４０に連結されている。この引留クランプ４５は送電線２０から分岐するジャンパソケットを具え、このソケットにジャンパ線２５が圧着接続されている。
【００１９】
ジャンパ線２５は複数本が並列されており、各ジャンパ線２５はスペーサ５０で間隔を保持されている。これらのジャンパ線２５は、両端部がジャンパソケットに接続されて単に吊下げられているだけであり、円弧状に垂れ下がった状態となる。
【００２０】
ここで、ジャンパホーン５５を支持するための第１吊材６０を設ける。第１吊材６０は、一端が碍子連１５と送電線２０との間に位置する各ヨーク４０に連結され、他端が前記スペーサに連結されている棒状体である。この第１吊材６０のヨーク４０との連結構造は、ヨーク４０に対して第１吊材６０が所定の角度で回転自在に構成される。そして、この第１吊材６０の下端、つまりスペーサ５０側にジャンパホーン５５を設ける。
【００２１】
ジャンパホーン５５は二股状の突起であり、第１吊材６０の端部に対してほぼ直角方向に突出されている。つまり、インパルスホーン３０と２つのジャンパホーン５５がほぼ三角形に配列され、この三角形のほぼ中心に向けて各ホーンが保持されていることになる。
【００２２】
このような構成のジャンパ装置によれば、ジャンパホーン５５の荷重は大半が第１吊材６０により保持される。また、第１吊材６０はヨーク４０との連結箇所を中心としてジャンパホーン側端部を図１の左右に離れる方向に回動するため、第１吊材６０と連結されたスペーサ５０同士の間に位置するジャンパ線２５は左右に引かれることになる。そのため、ジャンパ線２５の中間部は大きな垂れ下がりが抑制される。
【００２３】
また、インパルスホーン３０とジャンパホーン５５を用いることで、耐張碍子に設けるアークホーン３５を小型化することができる。
【００２４】
なお、上述した引留クランプには、圧着のほかクサビによりクランプするものもある。さらに、ジャンパホーンの形態も、二股形状に限定されるわけではない。
【００２５】
（実施例２）
次に、ホーン支持材を用いた本発明ジャンパ装置を図２に基づいて説明する。図２はホーン支持材を用いた本発明ジャンパ装置の構成図である。
【００２６】
この実施例では、実施例１のように第１吊材に直接ジャンパホーン５５を装着するのではなく、ホーン支持材７０を吊下げ支持し、このホーン支持材７０にジャンパホーン５５を取り付けている。耐張碍子連１５、送電線２０、インパルスホーン３０およびジャンパ線２５自体の構成は前記実施例１と同様である。
【００２７】
本例は、ホーン支持材７０を第２吊材６５で支持している。この第２吊材６５は、一端が碍子連１５と送電線２０との間に位置する各ヨーク４０に連結され、他端がホーン支持材７０の端部に連結されている棒状体である。
【００２８】
ホーン支持材７０は、円弧状に垂れ下がったジャンパ線２５に対し、弦のようにほぼ水平に配される棒状体である。このホーン支持材７０の端部は、ジャンパ線２５の間隔を保持するスペーサ５０とも連結されている。そして、ジャンパホーン５５は、このホーン支持材７０のほぼ中央に上向きに突出して固定され、インパルスホーン３０と対向するように配置されている。
【００２９】
このジャンパ装置によれば、ホーン支持材７０とジャンパホーン５５の荷重は第２吊材により支持されるため、ジャンパ線２５にはホーン支持材７０やジャンパホーン５５の荷重がかからず、ジャンパ線２５中間部の垂れ下がりを回避できる。特に、ホーン支持材７０の両端部とスペーサ５０を連結することで、ジャンパ線２５の円弧形状を維持しやすく、補強効果も得ることができる。
【００３０】
なお、この実施例ではホーン支持材７０を第２吊材６５で支持したが、第２吊材６５をなくし、ホーン支持材７０をジャンパ線２５で支持してもよい。その場合、ジャンパ線２５は円弧状を保持してホーン支持材７０の長さに対応した幅で下がることになり、ジャンパ線２５がＶ型になって局部的に大きく垂れ下がることを抑制できる。
【００３１】
【発明の効果】
以上説明したように、本発明ジャンパ装置によれば、次の効果を奏することができる。
【００３２】
第１吊材を用いてジャンパホーンを支持することで、ジャンパ線の中央部のみでジャンパホーンの荷重を支持する必要がなく、ジャンパ線中央部の垂れ下がりを回避することができる。
【００３３】
ホーン支持材を円弧状のジャンパ線に対して弦状に配置し、そのホーン支持材にジャンパホーンを装着することで、ジャンパ線の中央部のみでジャンパホーンの荷重を支持する必要がなく、ジャンパ線中央部の垂れ下がりを回避することができる。
【００３４】
インパルスホーンとジャンパホーンを組み合わせて用いることで、耐張碍子装置に装着するアークホーンの大きさを小型化することができる。
【図面の簡単な説明】
【図１】図１は本発明ジャンパ装置の構成図である。
【図２】図２はホーン支持材を用いた本発明ジャンパ装置の構成図である。
【図３】図３はパイプ式ジャンパ装置の構成図である。
【図４】図４は無補強式ジャンパ装置の構成図である。
【図５】図５は無補強式ジャンパ装置にジャンパホーンを適用した場合の構成図である。
【符号の説明】
１０  アーム
１５  耐張碍子連
２０  送電線
２５  ジャンパ線
３０  インパルスホーン
３５  アークホーン
４０  ヨーク
４５  引留クランプ
５０  スペーサ
５５  ジャンパホーン
６０  第１吊材
６５  第２吊材
７０  ホーン支持材
８０  水平パイプ材
８５  吊り下げ材
【図１】
2005012866.tif 000003
【図２】
2005012866.tif 000004
【図３】
2005012866.tif 000005
【図４】
2005012866.tif 000006
【図５】
2005012866.tif 000007